(57)【特許請求の範囲】
【請求項１】
６価クロムを３価クロムに還元し得る６価クロム還元化合物成分と、空気中の水分をトラップできるとともに、水に溶解できる成分とを含み、
前記６価クロム還元化合物成分が、６価クロムと作用して３価に還元性を有する化学式（１）に示される構造およびヒドロキシフェニル基を有し、かつ、アルデヒド基およびカルボキシル基を有さない、有機化合物（Ａ）を含むことを特徴とする６価クロム処理用の粉末状組成物。
【化１】
0006987844.tif 000026
（Ｒ1、Ｒ2、Ｒ3、Ｒ4およびＲ5は、それぞれ独立に、Ｃ、Ｈ、Ｏで構成される置換基である。Ｒ1またはＲ2と、Ｒ3、Ｒ4またはＲ5のいずれかとは、互いに結合して環を形成していてもよい。）
【請求項２】
前記有機化合物（Ａ）が、６価クロムと作用して３価に還元性を有する化学式（１）に示される構造と、ジヒドロキシフェニル基またはトリヒドロキシフェニル基とを有し、かつ、アルデヒド基およびカルボキシル基を有さない化合物であることを特徴とする請求項１に記載の６価クロム処理用の粉末状組成物。
【請求項３】
前記有機化合物（Ａ）が、６価クロムと作用して３価に還元性を有する化学式（１）に示される構造と、３，４，５−トリヒドロキシフェニル基を有し、かつ、アルデヒド基およびカルボキシル基を有さない化合物であることを特徴とする請求項２に記載の６価クロム処理用の粉末状組成物。
【請求項４】
前記有機化合物（Ａ）が、
（ｉ）没食子酸のエステルと、
（ｉｉ）タンニン酸およびその誘導体から選ばれる少なくとも１種の化合物と
であることを特徴とする請求項３に記載の６価クロム処理用の粉末状組成物。
【請求項５】
前記化合物（ｉｉ）がタンニン酸であることを特徴とする請求項４に記載の６価クロム処理用の粉末状組成物。
【請求項６】
前記６価クロム還元化合物成分が、さらに、６価クロムと作用して３価に還元性を有する前記化学式（１）に示される構造を有し、かつ、ヒドロキシフェニル基、アルデヒド基およびカルボキシル基を有さない、有機化合物（Ｂ）を含むことを特徴とする請求項１〜５のいずれか１項に記載の６価クロム処理用の粉末状組成物。
【請求項７】
前記有機化合物（Ｂ）が、アスコルビン酸、アスコルビン酸の誘導体、エリソルビン酸およびエリソルビン酸の誘導体から選ばれる少なくとも１種の化合物であることを特徴とする請求項６に記載の６価クロム処理用の粉末状組成物。
【請求項８】
６価クロムを３価クロムに還元し得る６価クロム還元化合物成分と、空気中の水分をトラップできるとともに、水に溶解できる成分とを含み、
前記６価クロム還元化合物成分が、下記式（Ａ−ｉ）で表される化合物（Ａ−ｉ）およびタンニン（Ａ−ｉｉ）から選ばれる少なくとも１種であることを特徴とする６価クロム処理用の粉末状組成物。
【化２】
0006987844.tif 000027
（ｎは、０、１または２を表す。Ｒ11〜Ｒ18は、それぞれ独立に水素原子、ヒドロキシ基、炭素数１〜４のアルキル基、炭素数１〜４のアルコキシ基、または下記式（ａ−ｉ）で表される基（Ｒ19は、炭素数１〜４のアルキル基を表す。）を表す。ｎが０のとき、Ｒ11〜Ｒ14、Ｒ16およびＲ17のうち少なくとも１個はヒドロキシ基であり、ｎが１または２のとき、Ｒ11〜Ｒ18のうち少なくとも１個はヒドロキシ基である。ｎが２のとき、複数あるＲ15は、同一であっても異なっていてもよく、Ｒ18についても同様である。Ｒ16とＲ17とは相互に一体となって５員環または６員環を形成していてもよく、該環は置換基として炭素数１〜１６のアルキル基を有していてもよい。）
【化３】
0006987844.tif 000028
【請求項９】
前記６価クロム還元化合物成分が、さらに下記式（Ｂ−ｉ）で表される化合物（Ｂ−ｉ）および下記式（Ｂ−ｉｉ）で表される化合物（Ｂ−ｉｉ）から選ばれる少なくとも１種を含むことを特徴とする請求項８に記載の６価クロム処理用の粉末状組成物。
【化４】
0006987844.tif 000029
（Ｘは、下記式（ｂ−ｉ）〜（ｂ−ｉｉｉ）で表される基（оは、０〜３の整数を表し、ｐは、１〜３の整数を表し、ｑは、１〜１７の整数を表す。）のいずれかを表す。）
【化５】
0006987844.tif 000030
【請求項１０】
前記空気中の水分をトラップできるとともに、水に溶解できる成分が、無水硫酸ナトリウム、無水硫酸マグネシウム、無水硫酸カルシウム、重量平均分子量が４０００以上４００００以下のポリエチレングリコール、重量平均分子量が４０００以上４００００以下のアクリル酸系ポリマー、および融点が４０℃以上のノニオン系界面活性剤から選ばれる少なくとも１種を含むことを特徴とする請求項１〜９のいずれか１項に記載の６価クロム処理用の粉末状組成物。
【請求項１１】
請求項１〜１０のいずれか１項に記載の６価クロム処理用の粉末状組成物を含む錠剤。
【請求項１２】
皮に対してクロムなめしを行って革を得るクロムなめし工程と、請求項１〜１０のいずれか１項に記載の６価クロム処理用の粉末状組成物によって、前記革を処理する６価クロム処理工程を含むことを特徴とする革の製造方法。
【請求項１３】
皮に対してクロムなめしを行って革を得るクロムなめし工程と、請求項１１に記載の錠剤によって、前記革を処理する６価クロム処理工程を含むことを特徴とする革の製造方法。
【発明の詳細な説明】
【技術分野】
【０００１】
本発明は、６価クロム処理用の粉末状組成物、錠剤および革の製造方法に関する。
【背景技術】
【０００２】
クロムなめし工程を経て得られた革または革製品には、有害な６価クロムが含まれていることがある。このような場合に、革または革製品に対して６価クロム処理剤による処理を施すと、この６価クロムを無害な３価クロムに還元できる。６価クロム処理剤としては、６価クロムと作用して３価に還元する性能を有する有機化合物（具体的には特定の構造およびヒドロキシフェニル基を有し、かつ、アルデヒド基およびカルボキシル基を有さない有機化合物）と溶媒とを含む６価クロム処理液が知られている（特許文献１）。
【先行技術文献】
【特許文献】
【０００３】
【特許文献１】国際公開第２０１６／０２１４６１号
【発明の概要】
【発明が解決しようとする課題】
【０００４】
しかしながら、特許文献１に記載された６価クロム処理液は溶媒を含むため、輸送などの際に取り扱いにくい。【０００５】
そこで、本発明は、輸送などの際にも取り扱いやすい６価クロム処理剤を提供することを目的とする。
【課題を解決するための手段】
【０００６】
本発明に係る６価クロム処理用の粉末状組成物は、６価クロムを３価クロムに還元し得る６価クロム還元化合物成分と、空気中の水分をトラップできるとともに、水に溶解できる成分とを含み、上記６価クロム還元化合物が、６価クロムと作用して３価に還元性を有する化学式（１）に示される構造およびヒドロキシフェニル基を有し、かつ、アルデヒド基およびカルボキシル基を有さない、有機化合物（Ａ）を含む。【０００７】
【化１】
0006987844.tif 000002
【０００８】
（Ｒ1、Ｒ2、Ｒ3、Ｒ4およびＲ5は、それぞれ独立に、Ｃ、Ｈ、Ｏで構成される置換基である。Ｒ1またはＲ2と、Ｒ3、Ｒ4またはＲ5のいずれかとは、互いに結合して環を形成していてもよい。）
【発明の効果】
【０００９】
本発明の６価クロム処理用の粉末状組成物は、輸送などの際にも取り扱いやすい。
【発明を実施するための形態】
【００１０】
本発明を実施するための形態（実施形態）につき、詳細に説明する。以下の実施形態に記載した内容により本発明が限定されるものではない。また、以下に記載した構成要素には、当業者が容易に想定できるもの、実質的に同一のものが含まれる。さらに、以下に記載した構成は適宜組み合わせることが可能である。また、本発明の要旨を逸脱しない範囲で構成の種々の省略、置換または変更を行うことができる。
【００１１】
＜６価クロム処理用の粉末状組成物＞
実施形態に係る６価クロム処理用の粉末状組成物は、６価クロムを３価クロムに還元し得る６価クロム還元化合物成分（本明細書において成分（Ｉ）ともいう。）と、空気中の水分をトラップできるとともに、水に溶解できる成分（本明細書において成分（II）ともいう。）とを含む。上記６価クロム処理用の粉末状組成物は、輸送などの際にも取り扱いやすい。なお、上記６価クロム処理用の粉末状組成物は、通常溶媒を含まない。
【００１２】
クロムなめし工程を経て得られた革または革製品には、有害な６価クロム（Ｃｒ（ＶＩ）を含む化合物）が含まれていることがある。このような場合に、革または革製品に対して６価クロム処理剤による処理を施すと、この６価クロムを無害な３価クロム（Ｃｒ（ＩＩＩ）を含む化合物）に還元できる。６価クロム処理剤としては、６価クロムと作用して３価に還元する性能を有する有機化合物（具体的には特定の構造およびヒドロキシフェニル基を有し、かつ、アルデヒド基およびカルボキシル基を有さない有機化合物）と溶媒とを含む６価クロム処理液が知られている（特許文献１）。６価クロム処理液には、溶媒として、たとえば５０質量％以下の量のアルコールと水との混合溶媒が使用されている。このように、上記有機化合物の他に溶媒を含むため重量が大きく、アルコールも含むため引火性を有している。したがって、上記６価クロム処理液は、輸送、容器などの点で取扱いにくい場合がある。一方、吸湿などにより性能が保ちにくいため、溶媒を用いずに有機化合物のみで６価クロム処理剤を構成することは難しい。
【００１３】
これに対して、実施形態に係る６価クロム処理用の粉末状組成物では、成分（Ｉ）と成分（II）とを組み合わせて用いているため、６価クロムを無害な３価クロムに還元する性能を有するとともに、輸送などの際にも取り扱いやすい。製造コストも抑えられる。また、６価クロムを還元する性能を長期間維持できる。これは、実施形態に係る６価クロム処理用の粉末状組成物中の成分（II）が、空気中の水分をトラップし、成分（Ｉ）の変質を抑制するためと考えられる。
【００１４】
実施形態に係る６価クロム処理用の粉末状組成物を用いて、革または革製品中の６価クロムを還元する場合は、まず、上記６価クロム処理用の粉末状組成物に溶媒を添加して６価クロム処理液を調製する。上記６価クロム処理用の粉末状組成物は、成分（II）を含むため、該組成物は溶解しやすくなっている。得られた６価クロム処理液によれば、革または革製品中の６価クロムを無害な３価クロムに還元できる。なお、溶媒にとけにくいため、成分（Ｉ）のみで６価クロム処理剤を構成することは難しい。
【００１５】
なお、実施形態に係る６価クロム処理用の粉末状組成物を用いて６価クロム処理工程を行うと、６価クロム還元化合物成分が革または革製品中の６価クロムを３価クロムに還元する。そして、革または革製品には、３価クロムとともに、上記還元に使われなかった残りの６価クロム還元化合物成分が含まれた状態となる。上記処理で、革または革製品は、ＩＳＯ１７０７５：２００８−０２に準拠して測定された６価クロムの含有量が通常３ｐｐｍ未満、好ましくは２ｐｐｍ以下となる。３価クロム含有量は、革または革製品によって異なるため特に限定されないが、通常４０００ｐｐｍ以上であり、４５００ｐｐｍ以上、さらに５０００ｐｐｍ以上含まれる場合もある。また、６価クロム処理剤による処理の前後で全クロム含有量は変化しない。
【００１６】
〔６価クロムを３価クロムに還元し得る６価クロム還元化合物成分（成分（Ｉ））〕
成分（Ｉ）としては、６価クロムを３価クロムに還元し得る化合物であり、たとえば、少なくとも、６価クロムと作用して３価に還元性を有する（３価に還元する性能を有する）Ｃ原子、Ｏ原子、Ｈ原子とからなり、３つの炭素間に１重結合と、２重結合を有し、中心の炭素に水酸基を有する下記式（１）に示される有機化合物（Ａ）が挙げられる。式（１）に示される構造は、６価クロムと作用して３価に還元性を有する。
【００１７】
【化２】
0006987844.tif 000003
【００１８】
式（１）中、Ｒ1、Ｒ2、Ｒ3、Ｒ4およびＲ5は、それぞれ独立に、Ｃ、Ｈ、Ｏで構成される置換基（Ｃ、Ｈおよび必要に応じてＯで構成される置換基）で、不飽和結合のカルボニル基を含むことが好ましいが、アルデヒド基、カルボキシル基といった反応性の官能基は有しない。また、アミン基、イソシアネート基などの窒素含有基、硫酸基などの硫黄含有基などの官能基も有しないことが好ましい。Ｒ1またはＲ2と、Ｒ3、Ｒ4またはＲ5のいずれかとは、互いに結合して環を形成していてもよい。
【００１９】
式（１）に示される構造を有する化合物は、環式炭化水素であってもよく、さらに単環または縮合環で構成される芳香族炭化水素であってもよい。なお、芳香族炭化水素である場合、π結合は実際は式（１）の炭素１、炭素２の間の二重結合の部分にとどまらず、非局在化している。また、環式炭化水素または芳香族炭化水素は、置換基を有していてもよい。
【００２０】
有機化合物（Ａ）は、式（１）に示される構造およびヒドロキシル基を有し、かつ、その構造中に、アルデヒド基およびカルボキシル基といった反応性の官能基を有しないことが好ましい。
【００２１】
また、成分（Ｉ）として、有機化合物（Ａ）に加えて、６価クロムと作用して３価に還元性を有する式（１）に示される構造を有し、かつ、ヒドロキシフェニル基、アルデヒド基およびカルボキシル基を有さない有機化合物（Ｂ）を含むことが好ましい。また、アミン基、イソシアネート基などの窒素含有基、硫酸基などの硫黄含有基などの官能基も有しないことが好ましい。
【００２２】
有機化合物（Ａ）または有機化合物（Ｂ）としては、たとえば、下記化合物（式（２）〜（１３））およびその誘導体が挙げられる。本実施形態では、これらの混合物を用いることも好ましい。
【００２３】
【化３】
0006987844.tif 000004
【００２４】
【化４】
0006987844.tif 000005
【００２５】
【化５】
0006987844.tif 000006
【００２６】
【化６】
0006987844.tif 000007
【００２７】
【化７】
0006987844.tif 000008
【００２８】
【化８】
0006987844.tif 000009
【００２９】
【化９】
0006987844.tif 000010
【００３０】
【化１０】
0006987844.tif 000011
【００３１】
【化１１】
0006987844.tif 000012
【００３２】
【化１２】
0006987844.tif 000013
【００３３】
【化１３】
0006987844.tif 000014
【００３４】
【化１４】
0006987844.tif 000015
【００３５】
なお、上記式（２）〜（１２）における炭素２が、たとえば上記式（１）の炭素２に対応している。
【００３６】
成分（Ｉ）は、有害な６価クロムに作用して、無害な化合物に化学変化をさせる有機化合物である。この化合物はたとえば６価のクロムを還元して３価のクロムとして無害化ができる。
【００３７】
一般に還元剤としては、水素化アルミニウムリチウム、水素化ホウ素ナトリウム、ヒドラジン、水素化ジブチルアルミニウム、シュウ酸、ギ酸などが知られている。これらの代表的還元剤を用いた場合、種々の問題がある。水素化アルミニウムリチウムを用いた場合、薬剤は粉末状の強い還元剤であるが、水と激しく反応し水素を発生するため引火性を伴い危険である。革または革製品は、通常、皮膚（汗）に触れることや、雨などに晒されることが多いため、このような引火性物質は使用に耐えない。水素化ホウ素ナトリウムを用いた場合、薬剤はやや吸湿性があり水分により分解しやすいので、密栓して保存しなければならない。汗や雨等の水分により生成した水溶液は、薬剤が分解生成物のため、強い塩基性を示す。そのため、皮膚（肌）や粘膜などに悪影響を及ぼす。酸性および中性条件で分解して水素を発生するため、アルカリ溶液中で保存しなければならないため、革または革製品中に含有させることができない。水で分解し水素を発生するため、取り扱いも困難である。ヒドラジンは、アンモニアに似た刺激臭を持つ無色の液体であり、空気に触れると白煙を生じるので使用に耐えない。水に易溶で、強い還元性を持ち、分解しやすく引火性があるので取り扱いも困難である。水素化ジブチルアルミニウムを用いた場合、薬剤は無色の液体だが、湿気に弱いため、不活性ガス雰囲気下で保存・使用することになるので一般の大気中で活用することは困難である。シュウ酸を用いた場合には、薬剤は体内で血液中のカルシウムイオンと強く結合するため毒性があり、毒物および劇物取締法により医薬用外劇物に指定されている。このような毒物を革または革製品に使用することは目的に合わず使用に耐えない。ギ酸を用いた場合には、液体のギ酸溶液や蒸気は皮膚や目に対して有害であり、特に目に対して回復不能な障害を与えてしまう場合もある。また、吸入すると肺水腫などの障害を与えることがあるため使用には耐えない。この他、慢性的な曝露により肝臓や腎臓に悪影響を及ぼすと考えられていること、アレルギー源としての可能性も考えられていることから本発明の目的に合わず使用に耐えない。
【００３８】
このようなことから本出願人は、革または革製品に使用できる６価クロム還元化合物を種々鋭意調査実験し、目的に見合った化合物を見出した。
【００３９】
成分（Ｉ）として含まれる有機化合物（Ａ）および有機化合物（Ｂ）は、６価クロムの処理機能がありこれを無害化する基本性能はもとより、これで処理した革または革製品が皮膚に触れた状態で、肌荒れ等の影響を及ぼさず、有毒性を有しない。また、有機化合物（Ａ）および有機化合物（Ｂ）は、それぞれの還元性によっても互いに分解を引き起こさず、また、反応せず互いに干渉し得ない化合物であることが好ましい。有機化合物（Ａ）および有機化合物（Ｂ）としては、上記化学式（１）に示される基本骨格を有する化合物が好ましく、Ｃ、Ｈ、Ｏの原子からなる安定なものが好ましい。
【００４０】
上記化学式（１）に示される構造を有する有機化合物（Ａ）および有機化合物（Ｂ）は、アルデヒド基、カルボキシル基といった官能基を有しない。また、アミン基、イソシアネート基等の窒素含有基、硫酸基等の硫黄含有基などの官能基も有しないことが好ましい。このような官能基は反応性があるので革または革製品の使用中に予期しない反応をする恐れがあるため、成分（Ｉ）には適さない。有機化合物（Ａ）および有機化合物（Ｂ）は、６価クロムに作用して６価として検出されない化合物を生成し、６価クロムを無害化することができる。
【００４１】
（有機化合物（Ａ））
有機化合物（Ａ）は、上記化学式（１）に示される構造およびたとえば下記化学式（１５）に示すヒドロキシフェニル基を有する。該官能基を有することで、革または革製品中において、即効性もあり、長く安定して滞留し、長期にわたり還元作用を有し、耐熱性に優れる。それゆえ、長期にわたり、６価クロムの生成が抑制される。また、革または革製品に含まれることで、汗や雨などの水分によっても分解されにくい。このような優れた効果を有する理由については定かではないが、なめしによって、通常、皮の主成分であるコラーゲンは化学的に架橋され安定化されている。有機化合物（Ａ）が有するヒドロキシフェニル基が、特に、該コラーゲンとの相互作用が高いため長く保持される一方で、該コラーゲンに完全に取り込まれず、海島構造の島部分のようになり、還元性を有するほどの自由度をもって取り込まれているためと推測している。有機化合物（Ａ）としては、革または革製品に用いるため、安全性が高く、環境への負荷が少ない化合物が好ましい。
【００４２】
【化１５】
0006987844.tif 000016
【００４３】
化学式（１５）中、Ｒaは、一価の基または二価の基である。一価の基としては、水素原子、炭化水素基または酸素含有基が挙げられる。二価の基としては、二価の炭化水素基または二価の酸素含有基が挙げられる。この中でも、水素原子、一価の炭化水素基、二価の炭化水素基またはヒドロキシル基であることが、革または革製品中に対してより相溶性を得ることができるため好ましい。Ｒaは、それぞれ独立であり、互いに同一でも異なっていてもよいが、Ｒaは、隣接する基が互いに結合して芳香環や脂肪族環を形成していてもよい。また、Ｒaが、他のヒドロキシフェニル基のＲaと結合していてもよい。Ｒaの全てが同時に水素原子ではないことが好ましく、革または革製品中にて、より即効性があり、安定して長期にわたってより良好な還元性を示すことから、化学式（１５）で表される基は、ジヒドロキシフェニル基またはトリヒドロキシフェニル基がより好ましく、３，４，５−トリヒドロキシフェニル基がより好ましい。
【００４４】
炭化水素基としては、炭素数１〜２０の炭化水素基が好ましく、具体的には、炭素数１〜２０のアルキル基、炭素原子数７〜２０のアリールアルキル基、炭素原子数６〜２０のアリール（ａｒｙｌ）基あるいは置換アリール（ａｒｙｌ）基などが挙げられる。たとえば、メチル基、エチル基、ｎ−プロピル基、イソプロピル基、アリル（ａｌｌｙｌ）基、ｎ−ブチル基、イソブチル基、sec−ブチル基、ｔ−ブチル基、アミル基、ｎ−ペンチル基、ネオペンチル基、ｎ−ヘキシル基、ｎ−ヘプチル基、ｎ−オクチル基、ｎ−ノニル基、ｎ−デカニル基、３−メチルペンチル基、１，１−ジエチルプロピル基、１，１−ジメチルブチル基、１−メチル−１−プロピルブチル基、１，１−ジプロピルブチル基、１，１−ジメチル−２−メチルプロピル基、１−メチル−１−イソプロピル−２−メチルプロピル基、シクロペンチル基、シクロヘキシル基、シクロヘプチル基、シクロオクチル基、ノルボルニル基、アダマンチル基、フェニル基、ｏ−トリル基、ｍ−トリル基、ｐ−トリル基、キシリル基、イソプロピルフェニル基、ｔ−ブチルフェニル基、ナフチル基、ビフェニル基、ターフェニル基、フェナントリル基、アントラセニル基、ベンジル基、クミル基を挙げることができ、メトキシ基、エトキシ基、フェノキシ基などの酸素含有基を含むものも炭化水素基（たとえば、アルコキシル基）として挙げられる。また、メチルエステル、エチルエステル、ｎ−プロピルエステル、イソプロピルエステル、ｎ−ブチルエステル、イソブチルエステル、（５−ノルボルネン−２−イル）エステルなどの不飽和カルボン酸エステル類（該不飽和カルボン酸がジカルボン酸である場合にはモノエステルであってもジエステルであってもよい）を含むものも炭化水素基として挙げられる。
【００４５】
酸素含有基としては、ヒドロキシル基が挙げられる。
【００４６】
有機化合物（Ａ）としては、たとえば、上記化学式（２）〜（１２）、
フェノール、ｏ−クレゾール、ｍ−クレゾール、ｐ−クレゾール、２，３−ジメチルフェノール、２，５−ジメチルフェノール、３，４−ジメチルフェノール、３，５−ジメチルフェノール、２，４−ジメチルフェノール、２，６−ジメチルフェノール、２，３，５−トリメチルフェノール、３，４，５−トリメチルフェノール、２−ｔｅｒｔ−ブチルフェノール、３−ｔｅｒｔ−ブチルフェノール、４−ｔｅｒｔ−ブチルフェノール、ＢＨＴ（ジブチルヒドロキシトルエン）、ＢＨＡ（ブチルヒドロキシアニソール）、２−フェニルフェノール、３−フェニルフェノール、４−フェニルフェノール、３，５−ジフェニルフェノール、２−ナフチルフェノール、３−ナフチルフェノール、４−ナフチルフェノール、４−トリチルフェノール、２−メチルレゾルシノール、４−メチルレゾルシノール、５−メチルレゾルシノール、４−ｔｅｒｔ−ブチルカテコール、２−メトキシフェノール、３−メトキシフェノール、２−プロピルフェノール、３−プロピルフェノール、４−プロピルフェノール、２−イソプロピルフェノール、３−イソプロピルフェノール、４−イソプロピルフェノール、２−メトキシ−５−メチルフェノール、２−ｔｅｒｔ−ブチル−５−メチルフェノール、チモール、イソチモール、１−ナフトール、２−ナフトール、２−メチル−１−ナフトール、４−メトキシ−１−ナフトール、７−メトキシ−２−ナフトール、
１，５−ジヒドロキシナフタレン、１，７−ジヒドロキシナフタレン、２，６−ジヒドロキシナフタレン等のジヒドロキシナフタレン、
１，３，６，８−テトラヒドロキシナフタレン等のテトラヒドロキシナフタレン、
３−ヒドロキシ−ナフタレン−２−カルボン酸メチル、９−ヒドロキシアントラセン、１−ヒドロキシピレン、１−ヒドロキシフェナントレン、９−ヒドロキシフェナントレン、ビスフェノールフルオレン、フェノールフタレイン、
２，３，４−トリヒドロキシベンゾフェノン、２，２'，３，４−テトラヒドロキシベンゾフェノン等のベンゾフェノン誘導体、
カテコール系タンニン、ピロガロール系タンニン、五倍子タンニン、没食子酸タンニン、フロロタンニンなどのタンニン類、
アントシアニン、ルチン、クエルセチン、フィセチン、ダイゼイン、ヘスペレチン、ヘスピリジン、クリシン、フラボノー、ヘスペレチンなどのフラボノイド類、
カテキン、ガロカテキン、カテキンガラート、エピカテキン、エピカロカテキン、エピカテキンガレート、エピカロカテキンガレート、プロシアニジン、テアフラビンなどのカテキン類、
クルクミン、リグナン、
ロドデンドロール［４−（ｐ−ヒドロキシフェニル）−２−ブタノール］、
アセチルロドデンドロール、ヘキサノイルロドデンドロール、オクタノイルロドデンドロール、ドデカノイルロドデンドロール、テトラデカノイルロドデンドロール、ヘキサデカノイルロドデンドロール、オクタデカノイルロドデンドロール、４−（３−アセトキシブチル）フェニルアセテート、４−（３−プロパノイルオキシブチル）フェニルプロパノエート、４−（３−オクタノイルオキシブチル）フェニルオクタノエート、４−（３−パルミトイルオキシブチル）フェニルパルミテート等のアシル化ロドデンドロール、
４−（３−メトキシブチル）フェノール、４−（３−エトキシブチル）フェノール、４−（３−オクチルオキシブチル）フェノール等のロドデンドロールアルキルエーテル体、
ロドデンドロール−Ｄ−グルコシド（αまたはβ体）、ロドデンドロール−Ｄ−ガラクトシド（αまたはβ体）、ロドデンドロール−Ｄ−キシロシド（αまたはβ体）、ロドデンドロール−Ｄ−マルトシド（αまたはβ体）等のロドデンドロール配糖体等、
αトコフェロール、βトコフェロール、γトコフェロール、δトコフェロールなどを挙げることができる。
【００４７】
また、これらの誘導体、たとえば、アルコキシル基を有する化合物、エステル化物なども挙げられる。具体的には、たとえば、ピロガロール−１，３−ジメチルエーテル、ピロガロール−１，３−ジエチルエーテル、５−プロピルピロガロール−１−メチルエーテルなどが挙げられる。
【００４８】
有機化合物（Ａ）としては、たとえば、上記化学式（２）に示した構造（１，２，３−Ｔｒｉｈｙｄｏｒｏｘｙｂｅｎｚｅｎｅ骨格）の化合物やその誘導体がある。このような化合物は６価クロムの除去機能を有する。
【００４９】
この誘導体としては上記化学式（２）に示した化合物の４，５，６位に、炭化水素基または酸素含有基などの置換基を有するものがある。好ましい置換基としては、炭素数１〜２０の炭化水素基、炭素数１〜２０のアルコキシ基および炭素数１〜２０のエステル化物、より好ましくは炭素数１〜１０の炭化水素基、炭素数１〜２０のアルコキシ基および炭素数１〜１０のエステル化物が挙げられる。これらの基については、上記に記載の通りである。なお、後述の化合物の誘導体についても同様である。たとえば、上記化学式（３）に示した化合物などの没食子酸のエステルや、上記化学式（２）の構造を１分子中に複数有する上記化学式（４）に示した化合物や該化合物の誘導体などがある。カテコール系タンニン、ピロガロール系タンニン、五倍子タンニン、没食子酸タンニン、フロロタンニンなどのタンニン類などが挙げられる。
【００５０】
このように、４，５，６位に導入する置換基は、それぞれの使用法にあった置換基を導入することができる。たとえば、エステル系の溶媒に溶かして使用する場合にはエステル基を導入し相溶性を高めることもできる。
【００５１】
本実施形態において、有機化合物（Ａ）として、（ｉ）没食子酸のエステル、ならびに（ｉｉ）タンニン酸およびその誘導体から選ばれる少なくとも１種の化合物を含むことが好ましく、（ｉ）没食子酸のエステルと、（ｉｉ）タンニン酸とを含むことがより好ましい。なお、革への着色を考慮した場合は、（ｉ）没食子酸のエステルのみを含むことも、より好ましい。
【００５２】
没食子酸のエステルは、分子量が比較的小さいため、革または革製品からブリードしやすいと考えられるが、タンニン酸の部分構造を有するため、還元力を維持しながら、タンニン酸およびその誘導体と好適に相互作用し、ブリードし難くなる。革または革製品中においても還元力があり、即効性が高い。還元力はアスコルビン酸ほどではないが、タンニン酸より還元力が高いため、アスコルビン酸が分解し還元力を喪失した後においても、長期にわたり還元力を発揮する（のちに６価へ酸化されたクロムイオンを再度還元することができる）。没食子酸のエステルは、革または革製品中において、汗や雨などの水分に対しても強く、分解されにくい。
【００５３】
タンニン酸およびその誘導体は、嵩高く、そもそもなめし処理に用いられるように、革または革製品中のコラーゲンなどに対して親和性がよいためブリードし難く、革および革製品中において長期にわたり還元力を維持できる。それゆえ、より長期にわたり、６価クロムの生成を抑制することができる。また、タンニン酸およびその誘導体は、ヒト（皮膚）に対して、低刺激性であるため、安全性が高い。還元力は、アスコルビン酸および没食子酸のエステルに比べて遅行性であるが、革および革製品と親和性が良く、分解されにくいため、アスコルビン酸および没食子酸のエステルに比べて、革製品がその効用および目的を達するまで還元力を維持することができる。
【００５４】
それゆえ、これらの化合物を含むと、革または革製品への浸透性が高く、長く革または革製品中に滞留でき、長期にわたり安定して還元することができる。さらに、ポリフェノール類は、還元性が強いため、褐変や色落ちが懸念されるが、これらの化合物は、色落ちの前に、革または革製品中に取り込まれるため、退色や変色し難く、革または革製品の色味や風合いを損なうおそれが少ないため好ましい。
【００５５】
また、上記化学式（２）では、１位、２位、３位に水酸基を有しているが、同様に１位、２位、４位に水酸基が導入された骨格（上記化学式（５））、１位、３位、５位に水酸基が導入された骨格（上記化学式（６））の化合物についても同様の効果がある。また、誘導体についても同様の効果がある。
【００５６】
また、上記化学式（２）では１つの芳香族環に３つの水酸基が導入されているが、１つの水酸基を有する化合物または２つの水酸基を有する化合物についても同様に６価クロム除去機能を有する。この様な骨格としてはたとえば、フェノール、ＢＨＴ、上記化学式（７）、上記化学式（８）、上記化学式（９）の化合物およびその誘導体がある。
【００５７】
芳香族環を複数結合した化合物に水酸基を有する化合物も同様の効果を有している。ナフタレン環に１つまたは、複数の水酸基を有するものなどが挙げられる。たとえば２つの水酸基を有する化合物としては上記化学式（１０）、上記化学式（１１）に示すものがある。この様な化合物の誘導体についても前述した化合物同様に６価クロム除去機能がある。
【００５８】
芳香族環が３つ連なったアントラセンに対して、水酸基を１つないし複数個任意の位置に導入した化合物についても同様の機能を示す。この様な化合物としては、たとえば上記化学式（１２）に示す化合物がある。また、これらの誘導体についても同様に６価クロム除去機能を有している。
【００５９】
上記化学式（１）に示される化合物としては、たとえば、長鎖アルキル基と複合環を有する化合物がある。この様な化合物は、有機性が高くなり水溶性が低下する。しかし、一方で有機溶剤との親和性が高くなるので、炭化水素系の溶媒にも溶解できる利点がある。
【００６０】
上記化学式（１）に示される化合物としては、カテキン、ガロカテキン、カテキンガラート、エピカテキン、エピカロカテキン、エピカテキンガレート、エピカロカテキンガレート、プロシアニジン、テアフラビンなどのカテキン類、およびカテキン類の誘導体であることも好ましい。これらのカテキン類は、安全性に優れ、革または革製品中においても還元力が高い。
【００６１】
（有機化合物（Ｂ））
有機化合物（Ｂ）は、上記化学式（１）に示される構造を有するが、たとえば上記化学式（１５）に示すヒドロキシフェニル基を有さない。該ヒドロキシフェニル基を含まないことで、革または革製品中に浸透し難くなるが、化学式（１）に示される構造を有するので、革または革製品の表面にある６価クロムを３価クロムに好適に還元させ、無毒化させることができる。そのため、有機化合物（Ｂ）を用いることで、汗や雨などの水分に溶解した６価クロムイオンの環境への溶出およびヒトへの曝露を即効性良く抑制できる。有機化合物（Ｂ）としては、たとえば、ヘテロ環を有する化合物がある。ヘテロ環としてはフラン、クロメン、イソクロメン、キサンテンなどがある。この様な誘導体としては、たとえば上記化学式（１３）に示した構造の化合物やその誘導体、エリソルビン酸やその誘導体、４−ヒドロキシフラン−２（５Ｈ）−オンが有る。このような化合物は６価クロムの除去機能を有する。
【００６２】
アスコルビン酸の誘導体としては、特に限定されないが、たとえば、アスコルビン酸エステル、アスコルビン酸リン酸エステル、アスコルビン酸硫酸エステル、アスコルビン酸グルコシド（２−Ｏ−α−Ｄ−グルコピラノシル−Ｌ−アスコルビン酸）、アスコルビン酸グルコサミン、デヒドロアスコルビン酸等を挙げることができる。
【００６３】
エリソルビン酸の誘導体としては、エリソルビン酸エステル等を挙げることができる。
【００６４】
本実施形態において、有機化合物（Ｂ）が、アスコルビン酸およびエリソルビン酸から選ばれる少なくとも１種の化合物であることが好ましく、アスコルビン酸であることがより好ましい。該化合物は、分解し易いため長期にわたり効果を実現できず、革または革製品からブリードし易いが、ヒト（皮膚）に対して低刺激性であり安全性に優れ、還元力も高く、即効性も高い。そのため、有機化合物（Ｂ）を含む６価クロム処理剤を革または革製品に接触させることで、６価クロムイオンの環境への溶出およびヒトへの曝露を効果的かつ未然に防ぐことができる。また、特に表面を迅速に無毒化処理できるため、肌荒れやアレルギーなどの発症を好適に抑制することができる。有機化合物（Ｂ）は、有機化合物（Ａ）とも反応せず相溶しなく、有機化合物（Ａ）によって分解されないので、実施形態に係る６価クロム処理用の粉末状組成物に好適に用いることができる。また、還元力が強いため、該化合物を含むことで、有機化合物（Ａ）による褐色化や色落ちを防止できる。さらに分解性が高いため、色つきがし難く、革または革製品の色味や風合いを損なうことがないため、好ましい。
【００６５】
このように、上記化学式（１）に示される基本骨格を分子中に含む化合物であれば６価クロムを無害化し除去することができる。
【００６６】
（成分（Ｉ）として好適な化合物）
成分（Ｉ）として、下記式（Ａ−ｉ）で表される化合物（Ａ−ｉ）およびタンニン（Ａ−ｉｉ）から選ばれる少なくとも１種を含むことが好ましく、下記式（Ａ−ｉ）で表される化合物（Ａ−ｉ）と、タンニン（Ａ−ｉｉ）とを含むことがより好ましい。なお、革への着色を考慮した場合は、化合物（Ａ−ｉ）のみを含むことも、より好ましい。
【００６７】
化合物（Ａ−ｉ）は下記式（Ａ−ｉ）で表される。
【００６８】
【化１６】
0006987844.tif 000017
【００６９】
式中、ｎは、０、１または２を表す。すなわち、化合物（Ａ−ｉ）は、ベンゼン、ナフタレンまたはアントラセン構造を有する。
【００７０】
Ｒ11〜Ｒ18は、それぞれ独立に水素原子、ヒドロキシ基、炭素数１〜４のアルキル基、炭素数１〜４のアルコキシ基、または下記式（ａ−ｉ）で表される基を表す。ここで、Ｒ19は、炭素数１〜４のアルキル基を表す。
【００７１】
【化１７】
0006987844.tif 000018
【００７２】
炭素数１〜４のアルキル基としては、メチル基、エチル基、ｎ−プロピル基、ｉ−プロピル基、ｎ−ブチル基、ｉ−ブチル基、ｓ−ブチル基、ｔ−ブチル基が挙げられる。炭素数１〜４のアルコキシ基としては、メトキシ基、エトキシ基、ｎ−プロポキシ基、イソプロポキシ基、ｎ−ブトキシ基、イソブトキシ基、ｓ−ブトキシ基、ｔ−ブトキシ基が挙げられる。
【００７３】
ｎが０のとき、Ｒ11〜Ｒ14、Ｒ16およびＲ17のうち少なくとも１個はヒドロキシ基である。ｎが０のとき、Ｒ11〜Ｒ14、Ｒ16およびＲ17のうち、２個がヒドロキシ基である場合および３個がヒドロキシ基である場合は、６価クロムを還元する能力が高くなるため好ましい。
【００７４】
ｎが１または２のとき、Ｒ11〜Ｒ18のうち少なくとも１個はヒドロキシ基である。ｎが１または２のとき、Ｒ11〜Ｒ18のうち、２個がヒドロキシ基である場合および３個がヒドロキシ基である場合は、６価クロムを還元する能力が高くなるため好ましい。
【００７５】
なお、ｎが２のとき、複数あるＲ15は、同一であっても異なっていてもよく、Ｒ18についても同様である。
【００７６】
Ｒ16とＲ17とは相互に一体となって５員環または６員環を形成していてもよく、該環を構成する原子としては炭素原子の他に酸素原子が含まれていてもよい。また、該環は置換基として炭素数１〜１６のアルキル基を有していてもよい。炭素数１〜１６のアルキル基は、直鎖状であっても分岐状であってもよい。
【００７７】
化合物（Ａ−ｉ）としては、具体的には、上述した式（２）、（３）、（５）〜（１２）で表される化合物や、上述した例示化合物が挙げられる。化合物（Ａ−ｉ）は、単独で用いても２種以上を組み合わせて用いてもよい。
【００７８】
タンニン（Ａ−ｉｉ）は、加水分解性タンニンであっても、縮合型タンニンであってもよい。加水分解性タンニンとしては、タンニン酸（上記式（４）で表される化合物）等のガロタンニン、エラジタンニンなどが挙げられる。後述する６価クロム処理液を調製する観点からは、加水分解性タンニンが好適に用いられる。タンニン（Ａ−ｉｉ）は単独で用いても２種以上を組み合わせて用いてもよい。
【００７９】
なお、化合物（Ａ−ｉ）、タンニン（Ａ−ｉｉ）において、ヒドロキシ基が結合している炭素が、たとえば上記式（１）の炭素２に対応している。
【００８０】
成分（Ｉ）として、化合物（Ａ−ｉ）、タンニン（Ａ−ｉｉ）とともに、さらに下記式（Ｂ−ｉ）で表される化合物（Ｂ−ｉ）および下記式（Ｂ−ｉｉ）で表される化合物（Ｂ−ｉｉ）から選ばれる少なくとも１種を用いることが好ましい。
【００８１】
【化１８】
0006987844.tif 000019
【００８２】
式中、Ｘは、下記式（ｂ−ｉ）〜（ｂ−ｉｉｉ）で表される基のいずれかを表す。ここで、оは、０〜３の整数を表し、ｐは、１〜３の整数を表し、ｑは、１〜１７の整数を表す。
【００８３】
【化１９】
0006987844.tif 000020
【００８４】
化合物（Ｂ−ｉ）および化合物（Ｂ−ｉｉ）としては、具体的には、上述した式（１３）で表される化合物や、上述した例示化合物が挙げられる。化合物（Ｂ−ｉ）および化合物（Ｂ−ｉｉ）は、それぞれ単独で用いても２種以上を組み合わせて用いてもよい。また、化合物（Ｂ−ｉ）および化合物（Ｂ−ｉｉ）を組み合わせて用いてもよい。
【００８５】
成分（Ｉ）として化合物（Ａ−ｉ）、タンニン（Ａ−ｉｉ）、化合物（Ｂ−ｉ）または化合物（Ｂ−ｉｉ）を用いて革の処理を行うと、すなわち化合物（Ａ−ｉ）、タンニン（Ａ−ｉｉ）、化合物（Ｂ−ｉ）または化合物（Ｂ−ｉｉ）が革または革製品に含まれるように処理を行うと、革または革製品に処理前から存在している６価クロムをたとえば無害な３価クロムとすることができる。さらに、処理後に何らかの原因で生成する６価クロムをも還元し、たとえば無害な３価クロムとすることができる。いいかえると、革または革製品がその効用および目的を達するまで、６価クロム量が規則（ＥＵ）番号３０１４／２０１４による規制値未満（通常３ｐｐｍ未満）の状態を保てる。特に、即効性の高い化合物（Ａ−ｉ）と遅行性のタンニン（Ａ−ｉｉ）とを組み合わせると、革または革製品がその効用および目的を達するまで、より確実に規制値未満の状態を保てる。さらに、化合物（Ａ−ｉ）および／またはタンニン（Ａ−ｉｉ）とともに、還元力および即効性の高い化合物（Ｂ−ｉ）および／または化合物（Ｂ−ｉｉ）を組み合わせると、処理時に、革または革製品の特に表面付近に存在している６価クロムを効果的に還元できる。なお、革への着色を考慮した場合は、化合物（Ａ−ｉ）と、化合物（Ｂ−ｉ）および／または化合物（Ｂ−ｉｉ）とを組み合わせることも好ましい。
【００８６】
成分（Ｉ）として有機化合物（Ａ）および有機化合物（Ｂ）を用いる場合は、有機化合物（Ａ）および有機化合物（Ｂ）の合計を１００質量部として、有機化合物（Ａ）を１質量部以上９０質量部以下の量で、有機化合物（Ｂ）を１０質量部以上９９質量部以下の量で用いることが好ましい。この量で用いれば、６価クロム処理工程において、６価クロムを還元する性能を十分発揮しうる。また、６価クロム処理工程において水道水を用いる場合は、有機化合物（Ａ）および有機化合物（Ｂ）の合計を１００質量部として、有機化合物（Ａ）を１質量部以上５５質量部以下の量で、有機化合物（Ｂ）を４５質量部以上９９質量部以下の量で用いることが好ましい。水道水には、通常有機化合物（Ｂ）を分解し得る成分（遊離残留塩素、結合残留塩素など）が含まれているため、有機化合物（Ｂ）を多めに用いることが好ましい。
【００８７】
また、有機化合物（Ａ）として（ｉ）没食子酸のエステルおよび（ｉｉ）タンニン酸を用いる場合は、（ｉ）没食子酸のエステルおよび（ｉｉ）タンニン酸の合計を１００質量部として、（ｉ）没食子酸のエステルを１１質量部以上７０質量部以下の量で、（ｉｉ）タンニン酸を３０質量部以上８９質量部以下の量で用いることが好ましい。この量で用いれば、６価クロム処理工程において、６価クロムを還元する性能を十分発揮しうる。
【００８８】
成分（Ｉ）として化合物（Ａ−ｉ）および／またはタンニン（Ａ−ｉｉ）と、化合物（Ｂ−ｉ）および／または化合物（Ｂ−ｉｉ）とを用いる場合は、これらの合計を１００質量部として、化合物（Ａ−ｉ）および／またはタンニン（Ａ−ｉｉ）を合計で１質量部以上９０質量部以下の量で、化合物（Ｂ−ｉ）および／または化合物（Ｂ−ｉｉ）を合計で１０質量部以上９９質量部以下の量で用いることが好ましい。この量で用いれば、６価クロム処理工程において、６価クロムを還元する性能を十分発揮しうる。また、６価クロム処理工程において水道水を用いる場合は、化合物（Ａ−ｉ）および／またはタンニン（Ａ−ｉｉ）と、化合物（Ｂ−ｉ）および／または化合物（Ｂ−ｉｉ）との合計を１００質量部として、化合物（Ａ−ｉ）および／またはタンニン（Ａ−ｉｉ）を合計で１質量部以上５５質量部以下の量で、化合物（Ｂ−ｉ）および／または化合物（Ｂ−ｉｉ）を合計で４５質量部以上９９質量部以下の量で用いることが好ましい。水道水には、化合物（Ｂ−ｉ）および化合物（Ｂ−ｉｉ）を分解し得る成分（遊離残留塩素、結合残留塩素など）が含まれているため、化合物（Ｂ−ｉ）および／または化合物（Ｂ−ｉｉ）を多めに用いることが好ましい。
【００８９】
また、成分（Ｉ）として化合物（Ａ−ｉ）およびタンニン（Ａ−ｉｉ）を用いる場合は、化合物（Ａ−ｉ）およびタンニン（Ａ−ｉｉ）の合計を１００質量部として、化合物（Ａ−ｉ）を１１質量部以上７０質量部以下の量で、タンニン（Ａ−ｉｉ）を３０質量部以上８９質量部以下の量で用いることが好ましい。この量で用いれば、６価クロム処理工程において、６価クロムを還元する性能を十分発揮しうる。
【００９０】
成分（Ｉ）の粒度は、１００メッシュ以下であることが好ましい。粒度が上記範囲にあると、後述する６価クロム処理工程において、６価クロム処理液を調製する際に溶解しやすくなる。
【００９１】
〔空気中の水分をトラップできるとともに、水に溶解できる成分（成分（II））〕
成分（Ｉ）に成分（II）を組み合わせることで、実施形態に係る６価クロム処理用の粉末状組成物の保存性および溶解性が向上する。実施形態に係る６価クロム処理用の粉末状組成物が６価クロムを還元する性能を長期間維持できるようになる。いいかえると、実施形態に係る６価クロム処理用の粉末状組成物について、６価クロム処理工程に実際に使用するまでの期間が長くても、該粉末状組成物の変質が抑えられる。そして、６価クロム処理工程において６価クロムを還元する性能を十分発揮しうる。成分（II）としては、無水硫酸ナトリウム、無水硫酸マグネシウム、無水硫酸カルシウムなどの硫酸塩；重量平均分子量が４０００以上４００００以下のポリエチレングリコール、重量平均分子量が４０００以上４００００以下のアクリル酸系ポリマーなどのポリマー；および融点が４０℃以上のノニオン系界面活性剤が好適に用いられる。これらは、単独で用いても２種以上を組み合わせて用いてもよい。これら成分（II）は、成分（Ｉ）の６価クロムを還元する性能に影響を与えず、成分（Ｉ）の該性能を長期間維持できる。
【００９２】
上記硫酸塩は、乾燥剤として用いられる化合物である。空気中の水分をトラップする性能に優れ、水への溶解性も高いため、実施形態に係る６価クロム処理用の粉末状組成物に好適に用いられる。特に、無水硫酸ナトリウムは、安全性が高いため好適に用いられる。
【００９３】
また、上記硫酸塩は、化合物（Ａ−ｉ）およびタンニン（Ａ−ｉｉ）と、化合物（Ｂ−ｉ）および／または化合物（Ｂ−ｉｉ）とを用いる場合に好適である。上記硫酸塩は、このような６価クロム処理用の粉末状組成物の溶解性を特に向上できるためである。
【００９４】
上記ポリマーは、重量平均分子量が上記範囲にあると、上記６価クロム処理用の粉末状組成物を細かい粉末状の組成物とできるため好ましい。
【００９５】
上記ポリマーは、後述する染色工程および加脂工程後の革に対して６価クロム処理を行う場合も、革への浸透性に優れるため好適に用いられる。なお、上記ポリマーは、化合物（Ａ−ｉ）と化合物（Ｂ−ｉ）および／または化合物（Ｂ−ｉｉ）とを組み合わせることがより好ましい。この場合に、６価クロム処理用の粉末状組成物の溶解性を特に向上できるためである。
【００９６】
上記ノニオン系界面活性剤は、融点が上記範囲にあると、粉末状の組成物が好適に得られるため好ましい。上記ノニオン系界面活性剤としては、たとえばポリオキシエチレン（４７）ラウリルエーテル、ポリオキシエチレン（３０）オレイルエーテルが挙げられる。なお、ポリオキシエチレンの後ろの数値は、オキシエチレン単位の繰り返し数を表す。
【００９７】
上記ノニオン系界面活性剤は、後述する染色工程および加脂工程後の革に対して６価クロム処理を行う場合も、革への浸透性に優れるため好適に用いられる。また、上記ノニオン系界面活性剤は、溶媒として水のみを用いて６価クロム処理液を調製し、これを使用する場合も、革への浸透性に優れる。この６価クロム処理液は、染色工程後または仕上げ工程後の革を処理する場合、あるいは革製品への加工後の革製品を処理する場合も、革または革製品の外観に影響を与えにくく好ましい。なお、上記ノニオン系界面活性剤は、化合物（Ａ−ｉ）と化合物（Ｂ−ｉ）および／または化合物（Ｂ−ｉｉ）とを組み合わせることがより好ましい。この場合に、６価クロム処理用の粉末状組成物の溶解性を特に向上できるためである。
【００９８】
成分（II）は、保存性および溶解性の観点から、成分（Ｉ）の合計１００質量部に対して０．００１質量部以上３５０質量部以下の量で用いることが好ましい。上記硫酸塩の場合は、この上限量よりも多すぎると析出して革の外観を損ねる場合がある。
【００９９】
成分（Ｉ）および成分（II）について、特に好ましい組み合わせを以下に示す。成分（Ｉ）として、化合物（Ａ−ｉ）と化合物（Ｂ−ｉ）および／または化合物（Ｂ−ｉｉ）とを用い、成分（II）として、硫酸塩とノニオン系界面活性剤とを用いることが望ましい。この場合は、成分（Ｉ）の合計１００質量部に対して、化合物（Ａ−ｉ）を１質量部以上２０質量部以下の量で、化合物（Ｂ−ｉ）および／または化合物（Ｂ−ｉｉ）を合計で８０質量部以上９９質量部以下の量で用いることが好ましい。また、成分（Ｉ）の合計１００質量部に対して、硫酸塩を１０質量部以上３００質量部以下の量で、ノニオン系界面活性剤を０．００１質量部以上１０質量部以下の量で用いることが好ましい。このように硫酸塩およびノニオン系界面活性剤を含む場合は、保存性および溶解性に優れるため、後述する６価クロム処理工程で幅広く好適に用いられる。
【０１００】
また、成分（Ｉ）として、化合物（Ａ−ｉ）およびタンニン（Ａ−ｉｉ）と、化合物（Ｂ−ｉ）および／または化合物（Ｂ−ｉｉ）とを用い、成分（II）として、多めの量の硫酸塩を用いることが望ましい。この場合は、成分（Ｉ）の合計１００質量部に対して、化合物（Ａ−ｉ）およびタンニン（Ａ−ｉｉ）を合計で１０質量部以上９０質量部以下の量で、化合物（Ｂ−ｉ）および／または化合物（Ｂ−ｉｉ）を合計で１０質量部以上９０質量部以下の量で用いることが好ましい。化合物（Ａ−ｉ）およびタンニン（Ａ−ｉｉ）の合計を１００質量部として、化合物（Ａ−ｉ）を１１質量部以上７０質量部以下の量で、タンニン（Ａ−ｉｉ）を３０質量部以上８９質量部以下の量で用いることが好ましい。また、成分（Ｉ）の合計１００質量部に対して、硫酸塩を１０質量部を超えて３００質量部以下の量で用いることが好ましい。このように硫酸塩を多めに含む場合は、保存性および溶解性に優れる。後述するように、染色工程および加脂工程の両工程が完了するよりも前に６価クロム処理工程を行う際により好適に用いられる。
【０１０１】
さらに、成分（Ｉ）として、化合物（Ａ−ｉ）およびタンニン（Ａ−ｉｉ）と、化合物（Ｂ−ｉ）および／または化合物（Ｂ−ｉｉ）とを用い、成分（II）として、少なめの量の硫酸塩を用いることも望ましい。この場合は、成分（Ｉ）の合計１００質量部に対して、化合物（Ａ−ｉ）およびタンニン（Ａ−ｉｉ）を合計で１０質量部以上９０質量部以下の量で、化合物（Ｂ−ｉ）および／または化合物（Ｂ−ｉｉ）を合計で１０質量部以上９０質量部以下の量で用いることが好ましい。化合物（Ａ−ｉ）およびタンニン（Ａ−ｉｉ）の合計を１００質量部として、化合物（Ａ−ｉ）を１１質量部以上７０質量部以下の量で、タンニン（Ａ−ｉｉ）を３０質量部以上８９質量部以下の量で用いることが好ましい。また、成分（Ｉ）の合計１００質量部に対して、硫酸塩を０．０５質量部以上１０質量部以下の量で用いることが好ましい。このように硫酸塩を少なめに含む場合も、保存性および溶解性に優れる。後述するように、染色工程および加脂工程の両工程が完了した後に６価クロム処理工程を行う際により好適に用いられる。なお、この場合は、溶媒として、水と炭素原子数１〜３のアルコール（特にＩＰＡ）との混合溶媒が好適に用いられる。
【０１０２】
〔その他の固体成分〕
実施形態に係る６価クロム処理用の粉末状組成物は、蛍光物質などのその他の固体成分を含んでいてもよい。その他の固体成分は、単独で用いても２種以上を組み合わせて用いてもよい。蛍光物質としては、たとえばクマリン誘導体、ピラゾリン誘導体、スチルベン誘導体、ビスベンゾオキサゾリル誘導体、ナフタルイミド誘導体、キサンテン誘導体、トリメチルジヒドロピリジン誘導体、コエロキセン誘導体、アントラキノン誘導体、インジゴ誘導体、アジン誘導体、アクリジン誘導体、ピラニンコンクなどが挙げられる。その他の固体成分は、たとえば成分（Ｉ）１００質量部に対して０質量部を超え１２質量部以下の量で用いることが好ましい。
【０１０３】
実施形態に係る６価クロム処理用の粉末状組成物は、成分（Ｉ）および成分（II）を混合し、細かい粉末状として得られる。具体的にはメノウ乳鉢および乳棒、製粉機を用いて調製できる。
【０１０４】
＜錠剤＞
実施形態に係る錠剤は、上述した６価クロム処理用の粉末状組成物を含む。６価クロム処理用の粉末状組成物のままよりも、錠剤とした方が、６価クロムを還元する性能をさらに高く維持できるため好ましい。
【０１０５】
実施形態に係る錠剤は、６価クロム処理用の粉末状組成物を通常の方法で打錠して得られる。
【０１０６】
＜革の製造方法＞
実施形態に係る革の製造方法は、皮に対してクロムなめしを行って革を得るクロムなめし工程と、上述した６価クロム処理用の粉末状組成物によって、上記革を処理する６価クロム処理工程とを含む。
【０１０７】
クロムなめし工程では、通常の準備工程（水漬け、石灰脱毛、再石灰漬け、脱灰・酵解など）を経た皮を用いる。上記皮としては、特に限定されず、牛皮、羊皮、やぎ皮、豚皮、馬皮、シカ皮、カンガルー皮、ダチョウ皮、トリ皮、魚の皮などが挙げられる。さらに、カメ目ウミガメ科に属するウミガメ、トカゲ亜目オオトカゲ科に属するオオトカゲ、トカゲ亜目テーイッド科に属するデグー、ヘビ亜目ボア科に属するアミメニシキヘビ、インドニシキヘビ、ヘビ亜目ウミヘビ科に属するウミヘビ、エラブウミヘビ、ヘビ亜目ヘビ科に属するミズヘビ、ワニ目クロコダイル科に属するニューニギアワニ、ワニ目アリゲーター科に属するミシシッピーワニ、カイマンなどの爬虫類の皮が挙げられる。また、クロムなめしは、通常の方法により行うことができる。
【０１０８】
６価クロム処理工程は、クロムなめし工程後、染色工程および加脂工程前に行う。まず、上記６価クロム処理用の粉末状組成物を溶媒に溶解して６価クロム処理液を調製する。上記６価クロム処理用の粉末状組成物は、成分（II）を含むため、溶解性に優れる。加温すると、さらに速やかに溶解できる。
【０１０９】
上記溶媒としては、水、炭素原子数１〜３のアルコール（メタノール、エタノール、プロパノール、イソプロパノール（ＩＰＡ））、ブタノール、アセトン、メチルエチルケトン（ＭＥＫ）、トルエン、キシレン、Ｎ，Ｎ−ジメチルホルムアミド（ＤＭＦ）、ヘキサン、ヘプタンなどが挙げられる。上記溶媒は、単独で用いても２種以上を組み合わせて用いてもよい。これらのうちで、革の外観を損ねにくく、また取り扱いやすいため、水のみ、水と炭素原子数１〜３のアルコールとの混合溶媒が好ましく用いられ、水のみ、水とＩＰＡとの混合溶媒がより好ましく用いられる。
【０１１０】
上記混合溶媒において、アルコールは通常５０質量％以下の量で、好ましくは３５質量％以下の量で用いることが望ましい。
【０１１１】
また、上記６価クロム処理液中において、成分（Ｉ）の濃度が０．１質量％以上２０．０質量％以下であることが好ましい。溶媒として純水または純水を含む混合溶媒を用いる場合は、成分（Ｉ）の濃度が０．１質量％以上５．０質量％以下であることがより好ましい。成分（Ｉ）が上記濃度で含まれると、革に対する退色や変色が抑えられる。また、長期にわたり６価クロムが低減された状態を維持できる。一方、水として水道水または水道水を含む混合溶媒を用いる場合は、成分（Ｉ）の濃度が０．２質量％以上２０．０質量％以下であることがより好ましい。水道水中には、通常成分（Ｉ）（特に有機化合物（Ｂ）、化合物（Ｂ−ｉ）または化合物（Ｂ−ｉｉ））を分解し得る成分（遊離残留塩素、結合残留塩素など）が含まれている。このため、成分（Ｉ）が多く含まれるように上記６価クロム処理液を調製することが好ましい。
【０１１２】
上記６価クロム処理液は、革に迅速に浸透させ、無害化させる観点から、２５℃における動粘度が、０．００１（ｃＳｔ）以上５（ｃＳｔ）未満であることが好ましく、０．０１（ｃＳｔ）以上４．５（ｃＳｔ）以下であることがより好ましい。なお、動粘度はたとえば上記成分を上記の量で用いることで調製できる。
【０１１３】
次に、得られた上記６価クロム処理液によって、上記革を処理する。具体的には、上記６価クロム処理液を上記革に噴霧、散布または塗布して処理してもよく、上記６価クロム処理液に上記革をディップまたは浸漬して処理してもよい。また、上記６価クロム処理液を布に含ませて上記革の表面を擦って処理してもよい。このようにして、上記革に上記６価クロム処理液中の成分（Ｉ）を含ませることができ、６価クロムは無害化される。
【０１１４】
６価クロム処理工程を経た革については、通常染色工程、加脂工程、仕上げ工程などが適宜行われる。このようにして得られた革製品の原料となる革は、さらに、通常加工工程を経て革製品となる。革製品としては、靴、衣料、帽子、手袋、ベルト、財布、名刺入れ、時計バンド、かばん、ソファー、クッションカバー、ブックカバー、筆入れ、携帯電話ケース、システム手帳、キーケース、自動車内装、眼鏡ケース、工具入れなどが挙げられる。
【０１１５】
上述した実施形態に係る革の製造方法において、６価クロム処理工程は、クロムなめし工程後に行われる洗浄工程と同時に行ってもよい。この場合は、洗浄工程に用いる洗浄液中に上記６価クロム処理用の粉末状組成物を溶解させる。ここでは、上記洗浄液が上記６価クロム処理液を兼ねる。
【０１１６】
上述した実施形態に係る革の製造方法において、６価クロム処理工程は、クロムなめし工程後、染色工程および加脂工程前に行ったが、６価クロム処理工程は、クロムなめし工程後、染色工程および／または加脂工程と同時に行ってもよい。この場合は、染色工程および／または加脂工程に用いる溶液中に上記６価クロム処理用の粉末状組成物を溶解させる。ここでは、上記溶液が上記６価クロム処理液を兼ねる。
【０１１７】
また、上述した実施形態に係る革の製造方法において、６価クロム処理工程は、クロムなめし工程後、染色工程および加脂工程前に行ったが、６価クロム処理工程は、染色工程後、加脂工程後または仕上げ工程後に行ってもよい。
【０１１８】
さらに、６価クロム処理工程は、加工工程後、革製品に対して行ってもよい。すでに製造された革製品中に６価クロムが含有されている場合も想定できる。このような革製品を処理する場合は、時計であれば革製品部分を取り外し、革製品部分に対して処理を行う。このようにして革製品部分に成分（Ｉ）を含ませることができる。この場合、革の表側（銀面）ではなく裏側を処理することが好ましい。革の表側は元々密度が高く、また、仕上げ工程により革の表側が塗装等されている場合もあり、上記６価クロム処理液が浸み込みにくいためである。
【０１１９】
上記実施形態に係る革の製造方法では、上記６価クロム処理用の粉末状組成物を用いたが、該粉末状組成物の代わりに錠剤を用いてもよい。
【０１２０】
このように、上記６価クロム処理用の粉末状組成物または錠剤による６価クロム処理工程は、革の製造においてクロムなめし後のいずれの段階でも行うことができる。具体的には、上記６価クロム処理用の粉末状組成物または錠剤の成分（II）に硫酸塩を多め（たとえば上述した量比）に含む場合は、染色工程および加脂工程の両工程が完了するよりも前に６価クロム処理工程を行うことが好ましい。過剰な硫酸塩が含まれている場合であっても、染色工程または加脂工程での洗浄工程で過剰分が抜けるため、革表面への析出が抑えられる。上記成分（II）に硫酸塩を少なめ（たとえば上述した量比）に含む場合は、染色工程および加脂工程の両工程が完了した後に（たとえば乾燥した革に対して）６価クロム処理工程を行うことが好ましい。硫酸塩の革表面への析出が抑えられる。
【０１２１】
また、上記成分（II）にポリマーを含む場合は、染色工程および加脂工程の両工程が完了した後に６価クロム処理工程を行うことも好ましい。過剰なポリマーが含まれている場合であっても、革表面への影響は小さいためである。上記成分（II）にノニオン系界面活性剤を含む場合、特に硫酸塩およびノニオン系界面活性剤を含む場合は、染色工程および加脂工程の両工程が完了した後に（たとえば乾燥した革に対して）６価クロム処理工程を行うことも好ましい。ノニオン系界面活性剤によって、両工程が完了した後の革にも浸み込みやすいためである。また、溶媒として水のみを用いても両工程が完了した後の革にも浸み込みやすいため、革の外観に影響を与えにくい利点もある。
【０１２２】
以上より、本発明は以下に関する。
【０１２３】
〔１〕６価クロムを３価クロムに還元し得る６価クロム還元化合物成分と、空気中の水分をトラップできるとともに、水に溶解できる成分とを含み、上記６価クロム還元化合物成分が、６価クロムと作用して３価に還元性を有する化学式（１）に示される構造およびヒドロキシフェニル基を有し、かつ、アルデヒド基およびカルボキシル基を有さない、有機化合物（Ａ）を含むことを特徴とする６価クロム処理用の粉末状組成物。
【０１２４】
【化２０】
0006987844.tif 000021
（Ｒ1、Ｒ2、Ｒ3、Ｒ4およびＲ5は、それぞれ独立に、Ｃ、Ｈ、Ｏで構成される置換基である。Ｒ1またはＲ2と、Ｒ3、Ｒ4またはＲ5のいずれかとは、互いに結合して環を形成していてもよい。）
【０１２５】
上記〔１〕に記載の６価クロム処理用の粉末状組成物は、輸送などの際にも取り扱いやすい。
【０１２６】
〔２〕上記有機化合物（Ａ）が、６価クロムと作用して３価に還元性を有する化学式（１）に示される構造と、ジヒドロキシフェニル基またはトリヒドロキシフェニル基とを有し、かつ、アルデヒド基およびカルボキシル基を有さない化合物であることを特徴とする〔１〕に記載の６価クロム処理用の粉末状組成物。
【０１２７】
〔３〕上記有機化合物（Ａ）が、６価クロムと作用して３価に還元性を有する化学式（１）に示される構造と、３，４，５−トリヒドロキシフェニル基を有し、かつ、アルデヒド基およびカルボキシル基を有さない化合物であることを特徴とする〔２〕に記載の６価クロム処理用の粉末状組成物。
【０１２８】
〔４〕上記有機化合物（Ａ）が、（ｉ）没食子酸のエステルと、（ｉｉ）タンニン酸およびその誘導体から選ばれる少なくとも１種の化合物とであることを特徴とする〔３〕に記載の６価クロム処理用の粉末状組成物。
【０１２９】
〔５〕上記化合物（ｉｉ）がタンニン酸であることを特徴とする〔４〕に記載の６価クロム処理用の粉末状組成物。
【０１３０】
〔６〕上記６価クロム還元化合物成分が、さらに、６価クロムと作用して３価に還元性を有する上記化学式（１）に示される構造を有し、かつ、ヒドロキシフェニル基、アルデヒド基およびカルボキシル基を有さない、有機化合物（Ｂ）を含むことを特徴とする〔１〕〜〔５〕のいずれかに記載の６価クロム処理用の粉末状組成物。
【０１３１】
〔７〕上記有機化合物（Ｂ）が、アスコルビン酸、アスコルビン酸の誘導体、エリソルビン酸およびエリソルビン酸の誘導体から選ばれる少なくとも１種の化合物であることを特徴とする〔６〕に記載の６価クロム処理用の粉末状組成物。
【０１３２】
上記〔２〕〜〔７〕に記載の６価クロム処理用の粉末状組成物を用いれば、革または革製品がその効用および目的を達するまで、６価クロム量が規則（ＥＵ）番号３０１４／２０１４による規制値未満（通常３ｐｐｍ未満）の状態を保てる。
【０１３３】
〔８〕６価クロムを３価クロムに還元し得る６価クロム還元化合物成分と、空気中の水分をトラップできるとともに、水に溶解できる成分とを含み、上記６価クロム還元化合物成分が、下記式（Ａ−ｉ）で表される化合物（Ａ−ｉ）およびタンニン（Ａ−ｉｉ）から選ばれる少なくとも１種を含むことを特徴とする６価クロム処理用の粉末状組成物。
【０１３４】
【化２１】
0006987844.tif 000022
（ｎは、０、１または２を表す。Ｒ11〜Ｒ18は、それぞれ独立に水素原子、ヒドロキシ基、炭素数１〜４のアルキル基、炭素数１〜４のアルコキシ基、または下記式（ａ−ｉ）で表される基（Ｒ19は、炭素数１〜４のアルキル基を表す。）を表す。ｎが０のとき、Ｒ11〜Ｒ14、Ｒ16およびＲ17のうち少なくとも１個はヒドロキシ基であり、ｎが１または２のとき、Ｒ11〜Ｒ18のうち少なくとも１個はヒドロキシ基である。ｎが２のとき、複数あるＲ15は、同一であっても異なっていてもよく、Ｒ18についても同様である。Ｒ16とＲ17とは相互に一体となって５員環または６員環を形成していてもよく、該環は置換基として炭素数１〜１６のアルキル基を有していてもよい。）
【０１３５】
上記〔８〕に記載の６価クロム処理用の粉末状組成物は、輸送などの際にも取り扱いやすい。
【０１３６】
【化２２】
0006987844.tif 000023
【０１３７】
〔９〕上記６価クロム還元化合物成分が、さらに下記式（Ｂ−ｉ）で表される化合物（Ｂ−ｉ）および下記式（Ｂ−ｉｉ）で表される化合物（Ｂ−ｉｉ）から選ばれる少なくとも１種を含むことを特徴とする〔８〕に記載の６価クロム処理用の粉末状組成物。
【０１３８】
【化２３】
0006987844.tif 000024
（Ｘは、下記式（ｂ−ｉ）〜（ｂ−ｉｉｉ）で表される基（оは、０〜３の整数を表し、ｐは、１〜３の整数を表し、ｑは、１〜１７の整数を表す。）のいずれかを表す。）
【０１３９】
【化２４】
0006987844.tif 000025
【０１４０】
上記〔９〕に記載の６価クロム処理用の粉末状組成物を用いれば、革または革製品がその効用および目的を達するまで、６価クロム量が規則（ＥＵ）番号３０１４／２０１４による規制値未満（通常３ｐｐｍ未満）の状態を保てる。
【０１４１】
〔１０〕上記空気中の水分をトラップできるとともに、水に溶解できる成分が、無水硫酸ナトリウム、無水硫酸マグネシウム、無水硫酸カルシウム、重量平均分子量が４０００以上４００００以下のポリエチレングリコール、重量平均分子量が４０００以上４００００以下のアクリル酸系ポリマー、および融点が４０℃以上のノニオン系界面活性剤から選ばれる少なくとも１種を含むことを特徴とする〔１〕〜〔９〕のいずれかに記載の６価クロム処理用の粉末状組成物。
【０１４２】
上記〔１０〕に記載の６価クロム処理用の粉末状組成物は、保存性および溶解性に優れる。
【０１４３】
〔１１〕〔１〕〜〔１０〕のいずれかに記載の６価クロム処理用の粉末状組成物を含む錠剤。
【０１４４】
上記〔１１〕に記載の６価クロム処理用の粉末状組成物は、保存性および溶解性により優れる。
【０１４５】
〔１２〕皮に対してクロムなめしを行って革を得るクロムなめし工程と、〔１〕〜〔１０〕のいずれかに記載の６価クロム処理用の粉末状組成物によって、上記革を処理する６価クロム処理工程を含むことを特徴とする革の製造方法。
【０１４６】
〔１３〕皮に対してクロムなめしを行って革を得るクロムなめし工程と、〔１１〕に記載の錠剤によって、上記革を処理する６価クロム処理工程を含むことを特徴とする革の製造方法。
【０１４７】
上記〔１２〕および〔１３〕に記載の革の製造方法によれば、得られた革は、その効用および目的を達するまで、６価クロム量が規則（ＥＵ）番号３０１４／２０１４による規制値未満（通常３ｐｐｍ未満）の状態を保てる。
【０１４８】
［実施例］
［実施例１−１］
没食子酸プロピル３．３質量部、アスコルビン酸９６．７質量部、無水硫酸ナトリウム１３．０質量部およびポリオキシエチレン（４７）ラウリルエーテル３．３質量部を乳鉢に入れ、乳棒で細かくすり潰すように混合し、６価クロム処理用の粉末状組成物を得た。
次に、水道水に６価クロム処理用の粉末状組成物を溶かし、６価クロム処理液を調製した。ここで、没食子酸プロピルおよびアスコルビン酸の合計の濃度が３％になるように調製した。
クロムなめしを行ったワニの革シートおよび牛の革シートを用意した（染色工程および加脂工程ともに行っていない革シートであった。）。時計用バンドに使用するサイズに切り取った。これら革について、ＩＳＯ１７０７５：２００８−０２の手法で求めた６価クロムの含有量は、ワニが８ｐｐｍ、牛が３ｐｐｍであった。また、それぞれのバンドの含有する全クロムの含有率を蛍光Ｘ線分析器で分析したところ、ワニは７１４１ｐｐｍ、牛は１６３６２ｐｐｍであった。
上記６価クロム処理液に、ワニの革シートおよび牛の革シートを浸漬した後、乾燥して、６価クロム処理工程を行った。
【０１４９】
［実施例１−２］
組成物の原料として、没食子酸プロピル２０質量部、アスコルビン酸８０質量部、無水硫酸ナトリウム１３．０質量部およびポリオキシエチレン（４７）ラウリルエーテル３．３質量部を用いた他は実施例１−１と同様にして、６価クロム処理用の粉末状組成物を得た。
次いで、実施例１−１と同様にして、６価クロム処理液を調製し、これを用いて６価クロム処理工程を行った。
【０１５０】
［実施例１−３］
組成物の原料として、没食子酸プロピル１質量部、アスコルビン酸９９質量部、無水硫酸ナトリウム１３．０質量部およびポリオキシエチレン（４７）ラウリルエーテル３．３質量部を用いた他は実施例１−１と同様にして、６価クロム処理用の粉末状組成物を得た。
次いで、実施例１−１と同様にして、６価クロム処理液を調製し、これを用いて６価クロム処理工程を行った。
【０１５１】
［実施例１−４］
組成物の原料として、没食子酸プロピル３．３質量部、アスコルビン酸９６．７質量部、無水硫酸ナトリウム５０．０質量部およびポリオキシエチレン（４７）ラウリルエーテル３．３質量部を用いた他は実施例１−１と同様にして、６価クロム処理用の粉末状組成物を得た。
次いで、実施例１−１と同様にして、６価クロム処理液を調製し、これを用いて６価クロム処理工程を行った。
【０１５２】
［実施例１−５］
組成物の原料として、没食子酸プロピル３．３質量部、アスコルビン酸９６．７質量部、無水硫酸ナトリウム１００．０質量部およびポリオキシエチレン（４７）ラウリルエーテル３．３質量部を用いた他は実施例１−１と同様にして、６価クロム処理用の粉末状組成物を得た。
次いで、実施例１−１と同様にして、６価クロム処理液を調製し、これを用いて６価クロム処理工程を行った。
【０１５３】
［実施例１−６］
組成物の原料として、没食子酸プロピル３．３質量部、アスコルビン酸９６．７質量部、無水硫酸ナトリウム１３．０質量部およびポリオキシエチレン（４７）ラウリルエーテル０．０１質量部を用いた他は実施例１−１と同様にして、６価クロム処理用の粉末状組成物を得た。
次いで、実施例１−１と同様にして、６価クロム処理液を調製し、これを用いて６価クロム処理工程を行った。
【０１５４】
［実施例１−７］
無水組成物の原料として、没食子酸プロピル３．３質量部、アスコルビン酸９６．７質量部、無水硫酸ナトリウム１３．０質量部およびポリオキシエチレン（４７）ラウリルエーテル８．０質量部を用いた他は実施例１−１と同様にして、６価クロム処理用の粉末状組成物を得た。
次いで、実施例１−１と同様にして、６価クロム処理液を調製し、これを用いて６価クロム処理工程を行った。
【０１５５】
［実施例１−８］
ポリオキシエチレン（４７）ラウリルエーテルの代わりにポリオキシエチレン（３０）オレイルエーテルを用いた他は実施例１−１と同様にして、６価クロム処理用の粉末状組成物を得た。
次いで、実施例１−１と同様にして、６価クロム処理液を調製し、これを用いて６価クロム処理工程を行った。
【０１５６】
［実施例１−９］
実施例１−１で得られた６価クロム処理用の粉末状組成物を打錠して、錠剤を得た。
次いで、上記錠剤を用いた他は実施例１−１と同様にして、６価クロム処理液を調製し、これを用いて６価クロム処理工程を行った。
【０１５７】
［実施例２−１］
没食子酸プロピル１０質量部、タンニン酸４０質量部、アスコルビン酸５０質量部および無水硫酸ナトリウム１００質量部を乳鉢に入れ、乳棒で細かくすり潰すように混合し、６価クロム処理用の粉末状組成物を得た。
次に、水道水に６価クロム処理用の粉末状組成物を溶かし、６価クロム処理液を調製した。ここで、没食子酸プロピルおよびアスコルビン酸の合計の濃度が２％になるように調製した。
クロムなめしを行ったワニの革シートおよび牛の革シートを用意した（染色工程および加脂工程ともに行っていない革シートであった。）。時計用バンドに使用するサイズに切り取った。これら革について、ＩＳＯ１７０７５：２００８−０２の手法で求めた６価クロムの含有量は、ワニが８ｐｐｍ、牛が３ｐｐｍであった。また、それぞれのバンドの含有する全クロムの含有率を蛍光Ｘ線分析器で分析したところ、ワニは７１４１ｐｐｍ、牛は１６３６２ｐｐｍであった。
上記６価クロム処理液に、ワニの革シートおよび牛の革シートを浸漬した後、乾燥して、６価クロム処理工程を行った。
【０１５８】
［実施例２−２］
組成物の原料として、没食子酸プロピル２５質量部、タンニン酸２５質量部、アスコルビン酸５０質量部および無水硫酸ナトリウム１００質量部を用いた他は実施例２−１と同様にして、６価クロム処理用の粉末状組成物を得た。
次いで、実施例２−１と同様にして、６価クロム処理液を調製し、これを用いて６価クロム処理工程を行った。
【０１５９】
［実施例２−３］
組成物の原料として、没食子酸プロピル３０質量部、タンニン酸２０質量部、アスコルビン酸５０質量部および無水硫酸ナトリウム１００質量部を用いた他は実施例２−１と同様にして、６価クロム処理用の粉末状組成物を得た。
次いで、実施例２−１と同様にして、６価クロム処理液を調製し、これを用いて６価クロム処理工程を行った。
【０１６０】
［実施例２−４］
組成物の原料として、没食子酸プロピル４質量部、タンニン酸１６質量部、アスコルビン酸８０質量部および無水硫酸ナトリウム１００質量部を用いた他は実施例２−１と同様にして、６価クロム処理用の粉末状組成物を得た。
次いで、実施例２−１と同様にして、６価クロム処理液を調製し、これを用いて６価クロム処理工程を行った。
【０１６１】
［実施例２−５］
組成物の原料として、没食子酸プロピル１０質量部、タンニン酸４０質量部、アスコルビン酸５０質量部および無水硫酸ナトリウム１１質量部を用いた他は実施例２−１と同様にして、６価クロム処理用の粉末状組成物を得た。
次いで、実施例２−１と同様にして、６価クロム処理液を調製し、これを用いて６価クロム処理工程を行った。
【０１６２】
［実施例２−６］
組成物の原料として、没食子酸プロピル１０質量部、タンニン酸４０質量部、アスコルビン酸５０質量部および無水硫酸ナトリウム２５０質量部を用いた他は実施例２−１と同様にして、６価クロム処理用の粉末状組成物を得た。
次いで、実施例２−１と同様にして、６価クロム処理液を調製し、これを用いて６価クロム処理工程を行った。
【０１６３】
［実施例２−７］
実施例２−１で得られた６価クロム処理用の粉末状組成物を打錠して、錠剤を得た。
次いで、上記錠剤を用いた他は実施例２−１と同様にして、６価クロム処理液を調製し、これを用いて６価クロム処理工程を行った。
【０１６４】
［実施例３−１］
没食子酸プロピル１０質量部、タンニン酸４０質量部、アスコルビン酸５０質量部および無水硫酸ナトリウム１０質量部を乳鉢に入れ、乳棒で細かくすり潰すように混合し、６価クロム処理用の粉末状組成物を得た。
次に、水道水５０質量％およびＩＰＡ５０質量％を混合して混合溶媒を得た。上記混合溶媒に６価クロム処理用の粉末状組成物を溶かし、６価クロム処理液を調製した。ここで、没食子酸プロピルおよびアスコルビン酸の合計の濃度が１％になるように調製した。
クロムなめしを行ったワニの革シートおよび牛の革シートを用意した（染色工程および加脂工程ともに行っていない革シートであった。）。時計用バンドに使用するサイズに切り取った。これら革について、ＩＳＯ１７０７５：２００８−０２の手法で求めた６価クロムの含有量は、ワニが８ｐｐｍ、牛が３ｐｐｍであった。また、それぞれのバンドの含有する全クロムの含有率を蛍光Ｘ線分析器で分析したところ、ワニは７１４１ｐｐｍ、牛は１６３６２ｐｐｍであった。
上記６価クロム処理液に、ワニの革シートおよび牛の革シートを浸漬した後、乾燥して、６価クロム処理工程を行った。
【０１６５】
［実施例３−２］
没食子酸プロピル２５質量部、タンニン酸２５質量部、アスコルビン酸５０質量部および無水硫酸ナトリウム１０質量部を乳鉢に入れ、乳棒で細かくすり潰すように混合し、６価クロム処理用の粉末状組成物を得た。
次いで、実施例３−１と同様にして、６価クロム処理液を調製し、これを用いて６価クロム処理工程を行った。
【０１６６】
［実施例３−３］
没食子酸プロピル３０質量部、タンニン酸２０質量部、アスコルビン酸５０質量部および無水硫酸ナトリウム１０質量部を乳鉢に入れ、乳棒で細かくすり潰すように混合し、６価クロム処理用の粉末状組成物を得た。
次いで、実施例３−１と同様にして、６価クロム処理液を調製し、これを用いて６価クロム処理工程を行った。
【０１６７】
［実施例３−４］
没食子酸プロピル４質量部、タンニン酸１６質量部、アスコルビン酸８０質量部および無水硫酸ナトリウム１０質量部を乳鉢に入れ、乳棒で細かくすり潰すように混合し、６価クロム処理用の粉末状組成物を得た。
次いで、実施例３−１と同様にして、６価クロム処理液を調製し、これを用いて６価クロム処理工程を行った。
【０１６８】
［実施例３−５］
没食子酸プロピル１０質量部、タンニン酸４０質量部、アスコルビン酸５０質量部および無水硫酸ナトリウム０．１質量部を乳鉢に入れ、乳棒で細かくすり潰すように混合し、６価クロム処理用の粉末状組成物を得た。
次いで、実施例３−１と同様にして、６価クロム処理液を調製し、これを用いて６価クロム処理工程を行った。
【０１６９】
［実施例３−６］
実施例３−１で得られた６価クロム処理用の粉末状組成物を打錠して、錠剤を得た。
次いで、上記錠剤を用いた他は実施例３−１と同様にして、６価クロム処理液を調製し、これを用いて６価クロム処理工程を行った。
【０１７０】
［実施例４−１］
没食子酸プロピル１０質量部、タンニン酸４０質量部、アスコルビン酸５０質量部および重量平均分子量８０００のポリエチレングリコール１００質量部を乳鉢に入れ、乳棒で細かくすり潰すように混合し、６価クロム処理用の粉末状組成物を得た。
次に、水道水５０質量％およびＩＰＡ５０質量％を混合して混合溶媒を得た。上記混合溶媒に６価クロム処理用の粉末状組成物を溶かし、６価クロム処理液を調製した。ここで、没食子酸プロピルおよびアスコルビン酸の合計の濃度が１％になるように調製した。
クロムなめしを行ったワニの革シートおよび牛の革シートを用意した（染色工程および加脂工程ともに行っていない革シートであった。）。時計用バンドに使用するサイズに切り取った。これら革について、ＩＳＯ１７０７５：２００８−０２の手法で求めた６価クロムの含有量は、ワニが８ｐｐｍ、牛が３ｐｐｍであった。また、それぞれのバンドの含有する全クロムの含有率を蛍光Ｘ線分析器で分析したところ、ワニは７１４１ｐｐｍ、牛は１６３６２ｐｐｍであった。
上記６価クロム処理液に、ワニの革シートおよび牛の革シートを浸漬した後、乾燥して、６価クロム処理工程を行った。
【０１７１】
［評価方法および結果］
（溶解性）
実施例で調製した６価クロム処理用の粉末状組成物および錠剤は、いずれも水道水または混合溶媒に溶解できた。
【０１７２】
なお、実施例で用いた成分（Ｉ）の粒度は、１００メッシュ以下であったため、速やかに溶解できた。
【０１７３】
（６価クロム量）
実施例で調製した６価クロム処理液を用いた６価クロム処理工程によって、いずれも６価クロムを還元できた。すなわち、６価クロム処理工程後の革は、いずれも６価クロム量は検出限界（２ｐｐｍ）であった。また、６価クロム処理工程後の革について、８０℃で２４時間および８０℃で１００時間の環境下に置いた後、６価クロム量を測定したところ、いずれも検出限界（２ｐｐｍ）であった。なお、６価クロム処理工程前後で、いずれも革の全クロムの含有量は変化していなかった。
【０１７４】
（外観）
さらに、６価クロム処理工程前後で、いずれも革の外観は変化していなかった。
【０１７５】
（経時変化）
実施例１−１で得られた６価クロム処理用の粉末状組成物および実施例１−９で得られた錠剤について、それぞれ別の袋に２０ｋｇずつ入れて現場雰囲気に３か月間置いた。３か月後に重量を測定したところ、上記６価クロム処理用の粉末状組成物は５質量％重量が大きくなっており、上記錠剤は２質量％重量が大きくなっていた。重量の増加は、空気中の水分を吸収したことによると考えられる。錠剤の方が、６価クロムを還元する性能をさらに高く維持できると考えられる。